(57)【要約】【課題】帯域内および帯域外を含む所望の帯域の周波数特性を瞬時に精度良く測定し、これを補正することで、ＥＶＭおよび周波数歪みを精度良く改善する周波数特性補正送信機を得る。【解決手段】変調波信号源１に加えて、マルチキャリア信号源２を備え、さらに、変調波信号源１より発生される変調波信号またはマルチキャリア信号源２より発生されるマルチキャリア信号を選択する入力信号切替部４を備えた。  周波数特性測定モードでは、入力信号切替部４によりマルチキャリア信号を選択し、各構成要素にマルチキャリア信号が流れる。  ここで、マルチキャリア信号は、帯域内および帯域外を含む広帯域に渡って信号レベルが均一であることから、周波数特性比較部１３および周波数特性補正部５では、該マルチキャリア信号に対応した広帯域に渡る周波数特性を瞬時に精度良く測定し補正することができる。【選択図】図１
2012244294.tif 000002
【特許請求の範囲】
【請求項１】
マルチキャリア信号を発生するマルチキャリア信号発生手段と、
前記マルチキャリア信号発生手段により発生されたマルチキャリア信号を検出する入力信号検出手段と、
変調波信号または前記マルチキャリア信号発生手段により発生されたマルチキャリア信号を選択する入力信号切替手段と、
比較結果に基づいて周波数特性の逆特性を算出し、前記入力信号切替手段により選択された変調波信号またはマルチキャリア信号に該逆特性を与えることで該周波数特性を補正する周波数特性補正手段と、
前記周波数特性補正手段により補正された変調波信号またはマルチキャリア信号をディジタル信号からアナログ信号に変換するディジタル／アナログ変換手段と、
前記ディジタル／アナログ変換手段によりアナログ信号に変換された変調波信号またはマルチキャリア信号を増幅する電力増幅手段と、
前記電力増幅手段により増幅されたマルチキャリア信号を検出する出力信号検出手段と、
前記出力信号検出手段により検出されたマルチキャリア信号をアナログ信号からディジタル信号に変換するアナログ／ディジタル変換手段と、
前記入力信号検出手段により検出されたマルチキャリア信号に対してフーリエ変換処理を行って時間軸の信号から周波数軸の信号に変換する第１の周波数軸変換手段と、
前記アナログ／ディジタル変換手段によりディジタル信号に変換されたマルチキャリア信号に対してフーリエ変換処理を行って時間軸の信号から周波数軸の信号に変換する第２の周波数軸変換手段と、
前記第１の周波数軸変換手段により周波数軸の信号に変換された周波数特性と前記第２の周波数軸変換手段により周波数軸の信号に変換された周波数特性とを比較し、該比較結果を前記周波数特性補正手段に与える周波数特性比較手段とを備えた周波数特性補正送信機。
【請求項２】
前記マルチキャリア信号発生手段から発生されるマルチキャリア信号のピーク抑圧処理を行うピーク抑圧手段を備えたことを特徴とする請求項１記載の周波数特性補正送信機。
【請求項３】
前記マルチキャリア信号発生手段は、
奇数チャネルのマルチキャリア信号と、偶数チャネルのマルチキャリア信号とに分けて発生し、
前記周波数特性比較手段は、
奇数チャネルのマルチキャリア信号に応じた比較結果と、偶数チャネルのマルチキャリア信号に応じた比較結果とを算出し、
前記周波数特性補正手段は、
前記周波数特性比較手段による奇数チャネルのマルチキャリア信号に応じた比較結果と、偶数チャネルのマルチキャリア信号に応じた比較結果とを合成し、該合成した比較結果に基づいて周波数特性を補正することを特徴とする請求項１または請求項２記載の周波数特性補正送信機。
【請求項４】
前記マルチキャリア信号発生手段は、
変調波信号の帯域内ではキャリア配置が密となり、変調波信号の帯域外ではキャリア配置が疎となるマルチキャリア信号を発生することを特徴とする請求項１から請求項３のうちのいずれか１項記載の周波数特性補正送信機。
【請求項５】
前記電力増幅手段の周囲温度を測定する温度測定手段を備え、
前記周波数特性補正手段は、
任意の温度毎に設けられた複数のディジタルフィルタにより構成され、
前記温度測定手段により測定される前記電力増幅手段の周囲温度毎に、前記周波数特性比較手段により与えられる比較結果に基づいて周波数特性の逆特性を算出して前記該当する温度のディジタルフィルタに蓄積し、前記入力信号切替手段により選択された変調波信号またはマルチキャリア信号に該ディジタルフィルタに蓄積された逆特性を与えることで該周波数特性を補正することを特徴とする請求項１から請求項４のうちのいずれか１項記載の周波数特性補正送信機。
【請求項６】
前記電力増幅手段の出力電力を測定する出力電力測定手段を備え、
前記周波数特性補正手段は、
任意の出力電力毎に設けられた複数のディジタルフィルタにより構成され、
前記出力電力測定手段により測定される前記電力増幅手段の出力電力毎に、前記周波数特性比較手段により与えられる比較結果に基づいて周波数特性の逆特性を算出して前記該当する出力電力のディジタルフィルタに蓄積し、前記入力信号切替手段により選択された変調波信号またはマルチキャリア信号に該ディジタルフィルタに蓄積された逆特性を与えることで該周波数特性を補正することを特徴とする請求項１から請求項４のうちのいずれか１項記載の周波数特性補正送信機。
【請求項７】
ディジタルプレディストーション歪み補正機能を備えたことを特徴する請求項１から請求項６のうちのいずれか１項記載の周波数特性補正送信機。
【発明の詳細な説明】
【技術分野】
【０００１】
本発明は、送信機に設けられた増幅器の周波数特性を補正する周波数特性補正送信機に関する。
【背景技術】
【０００２】
一般に、アナログ回路素子は、周波数特性を有する。中でも増幅器は、他のアナログ回路素子よりも強い周波数特性を有し、入力信号の帯域内に強い周波数特性をもたらすため、ＥＶＭ（Ｅｒｒｏｒ  Ｖｅｃｔｏｒ  Ｍａｇｎｉｔｕｄｅ：変調精度）が劣化する要因となる。
【０００３】
また、広帯域システムにおいては、増幅器の周波数特性によって歪みが劣化するため、帯域内の周波数特性だけではなく、帯域外の周波数特性も補正することが必要である。
【０００４】
さらに、増幅器の周波数特性は、入力信号に対して予め増幅器の逆歪みを与えるプレディストーションでも問題となる。これは、増幅器の非線形歪みを相殺するように予め入力信号に逆歪みを与えたとしても、周波数特性の影響で歪みを相殺することができなくなってしまうためである。
【０００５】
このため、従来、増幅器の周波数特性を補正するために、周波数特性補正機能を送信機に備えることが提案されている。
【０００６】
従来の周波数特性補正送信機として、下記特許文献１には、変調波信号の周波数特性を補正する周波数特性補正フィルタ部と、周波数特性補正フィルタ部により周波数特性が補正された変調波信号をディジタル信号からアナログ信号に変換するディジタル／アナログ変換部と、増幅部を含み、ディジタル／アナログ変換部によりアナログ信号に変換された変調波信号をアナログ処理するアナログ処理部と、アナログ処理部の環境状態を測定する環境測定部とを備え、周波数特性補正フィルタ部は、環境測定部により測定されたアナログ処理部の環境状態に応じて変調波信号の周波数特性を補正するものが開示されている。
【先行技術文献】
【特許文献】
【０００７】
【特許文献１】特開２００３−２３３６１号公報
【発明の概要】
【発明が解決しようとする課題】
【０００８】
従来の周波数特性補正送信機は、以上のように構成されているので、変調波信号そのものを用いて周波数特性を測定するため、全周波数帯域に渡って信号が存在する保証がない。
【０００９】
また、帯域外の周波数領域では信号レベルが非常に小さいため、雑音に紛れて精度良く周波数特性を測定することが困難である。
【００１０】
さらに、周波数特性を測定する別の方法として、正弦波を用いる方法も考えられるが、各周波数毎に正弦波を繰り返し掃引する必要があるため、周波数特性を取得しこれを補正するまでに膨大な時間がかかるという課題がある。
【００１１】
本発明は、以上のような課題を解消するためになされたものであり、帯域内および帯域外を含む所望の帯域の周波数特性を瞬時に精度良く測定し、これを補正することで、ＥＶＭおよび周波数歪みを精度良く改善する周波数特性補正送信機を得ることを目的とする。
【課題を解決するための手段】
【００１２】
本発明に係る周波数特性補正送信機は、マルチキャリア信号を発生するマルチキャリア信号発生手段と、マルチキャリア信号発生手段により発生されたマルチキャリア信号を検出する入力信号検出手段と、変調波信号またはマルチキャリア信号発生手段により発生されたマルチキャリア信号を選択する入力信号切替手段と、比較結果に基づいて周波数特性の逆特性を算出し、入力信号切替手段により選択された変調波信号またはマルチキャリア信号に該逆特性を与えることで該周波数特性を補正する周波数特性補正手段と、周波数特性補正手段により補正された変調波信号またはマルチキャリア信号をディジタル信号からアナログ信号に変換するディジタル／アナログ変換手段と、ディジタル／アナログ変換手段によりアナログ信号に変換された変調波信号またはマルチキャリア信号を増幅する電力増幅手段と、電力増幅手段により増幅されたマルチキャリア信号を検出する出力信号検出手段と、出力信号検出手段により検出されたマルチキャリア信号をアナログ信号からディジタル信号に変換するアナログ／ディジタル変換手段と、入力信号検出手段により検出されたマルチキャリア信号に対してフーリエ変換処理を行って時間軸の信号から周波数軸の信号に変換する第１の周波数軸変換手段と、アナログ／ディジタル変換手段によりディジタル信号に変換されたマルチキャリア信号に対してフーリエ変換処理を行って時間軸の信号から周波数軸の信号に変換する第２の周波数軸変換手段と、第１の周波数軸変換手段により周波数軸の信号に変換された周波数特性と第２の周波数軸変換手段により周波数軸の信号に変換された周波数特性とを比較し、該比較結果を周波数特性補正手段に与える周波数特性比較手段とを備えたものである。
【発明の効果】
【００１３】
本発明によれば、周波数特性測定モードでは、入力信号切替手段によりマルチキャリア信号を選択することで、各構成手段にマルチキャリア信号が流れる。
周波数特性比較手段では、入出力両側からのマルチキャリア信号の周波数特性が比較され、周波数特性補正手段では、マルチキャリア信号に対応した逆特性が与えられ、周波数特性を補正する。
ここで、マルチキャリア信号は、帯域内および帯域外を含む広帯域に渡って信号レベルが均一であることから、周波数特性比較手段および周波数特性補正手段では、該マルチキャリア信号に対応した広帯域に渡る周波数特性を瞬時に精度良く測定し補正することができる。
通常運用モードでは、入力信号切替手段により変調波信号を選択することで、各構成手段に変調波信号が流れる。
通常運用モードにおいて周波数特性補正手段に与えられる逆特性は、周波数特性測定モードにおけるマルチキャリア信号に対応した広帯域に渡る周波数特性に基づくものであるから、周波数特性測定モード同様に、変調波信号に対応して広帯域に渡る周波数特性を精度良く補正することができる。
したがって、帯域内および帯域外を含む所望の帯域の周波数特性を瞬時に精度良く測定し、これを補正することで、ＥＶＭおよび周波数歪みを精度良く改善することができる効果がある。
【図面の簡単な説明】
【００１４】
【図１】この発明の実施の形態１による周波数特性補正送信機の構成を示すブロック図である。
【図２】この発明の実施の形態１による周波数特性補正送信機の動作を示す説明図である。
【図３】この発明の実施の形態２による周波数特性補正送信機の構成を示すブロック図である。
【図４】ピーク抑圧部の動作を示すフローチャートである。
【図５】ピーク抑圧部の動作を示す波形図である。
【図６】この発明の実施の形態３による周波数特性補正送信機の構成を示すブロック図である。
【図７】この発明の実施の形態３による周波数特性補正送信機の動作を示すフローチャートである。
【図８】この発明の実施の形態４による周波数特性補正送信機の構成を示すブロック図である。
【図９】不等間隔マルチキャリア信号源の動作を示す特性図である。
【図１０】この発明の実施の形態５による周波数特性補正送信機の構成を示すブロック図である。
【図１１】この発明の実施の形態６による周波数特性補正送信機の構成を示すブロック図である。
【発明を実施するための形態】
【００１５】
実施の形態１．
図１はこの発明の実施の形態１による周波数特性補正送信機の構成を示すブロック図である。
図１において、この実施の形態１による周波数特性補正送信機は、変調波信号源１、マルチキャリア信号源２、信号分岐部３，８、入力信号切替部４、周波数特性補正部５、ディジタル／アナログ変換器（以下、ＤＡＣと言う）６、電力増幅器７、出力端子９、アナログ／ディジタル変換器（以下、ＡＤＣと言う）１０、周波数軸変換部（以下、ＦＦＴと言う）１１，１２、および周波数特性比較部１３を備える。
【００１６】
この実施の形態１は、変調波信号源１に加えて、マルチキャリア信号源２を備え、入力信号切替部４により、変調波信号源１より発生される変調波信号またはマルチキャリア信号源２より発生されるマルチキャリア信号を選択するものである。
【００１７】
また、通常運用モードと、周波数特性測定モードとの２つの動作モードを有し、通常運用モードでは、変調波信号源１を選択し、周波数特性測定モードでは、マルチキャリア信号源２を選択する。
【００１８】
すなわち、この実施の形態１の特徴とするところは、周波数特性を測定するためにマルチキャリア信号を用いることで、帯域内および帯域外を含む所望の帯域の周波数特性を瞬時に精度良く測定し、これを補正することで、ＥＶＭおよび周波数歪みを精度良く改善するものである。
【００１９】
次に動作について説明する。
まず、周波数特性測定モードの動作について説明する。
図２はこの発明の実施の形態１による周波数特性補正送信機の動作を示す説明図である。
図２において、入力信号切替部４では、マルチキャリア信号源２が選択される。マルチキャリア信号源２より入力されたマルチキャリア信号は、信号分岐部３を介して、一方は周波数特性補正部５に出力され、他方はＦＦＴ１１に出力される。
【００２０】
周波数特性補正部５には、予め振幅｜Ｓ２１｜＝０，位相∠Ｓ２１＝０の周波数特性が記憶されている。周波数特性補正部５の出力は、ＤＡＣ６で、ディジタル信号からアナログ信号に変換され、電力増幅器７で増幅される。電力増幅器７の出力は、信号分岐部８を介してＡＤＣ１０に出力される。ＡＤＣ１０でアナログ信号からディジタル信号に変換された信号は、ＦＦＴ１２によって、フーリエ変換処理を行って、時間軸の信号から周波数軸の信号に変換される。
【００２１】
一方、ＦＦＴ１１においても同様に、フーリエ変換処理を行って、マルチキャリア信号が時間軸の信号から周波数軸の信号に変換される。周波数特性比較部１３には、ＦＦＴ１１，１２からの出力が入力され、両者の周波数特性が比較される。なお、図２では振幅｜Ｓ２１｜の周波数特性を図示しているが、位相∠Ｓ２１の周波数特性も同時に得ることができる。周波数特性補正部５は、周波数特性比較部１３の比較結果に基づき、電力増幅器７の周波数特性の逆特性を算出し、入力されるマルチキャリア信号に対して逆特性を与える。
なお、周波数特性測定モードは、製品出荷時などに利用される。
【００２２】
次に、通常運用モードの動作について説明する。
入力信号切替部４では、変調波信号源１が選択される。変調波信号源１より入力された変調波信号は、周波数特性補正部５に入力される。このとき、周波数特性補正部５には、周波数特性測定モードにおいて算出された周波数特性の逆特性が予め記憶されている。周波数特性補正部５では、入力される変調波信号を予め記憶された周波数特性の逆特性により補正する。周波数特性補正部５の出力は、ＤＡＣ６で、ディジタル信号からアナログ信号に変換された後、電力増幅器７で増幅され、信号分岐部８を介して出力端子９から出力される。
【００２３】
以上のように、この実施の形態１によれば、変調波信号源１に加えて、マルチキャリア信号源２を備え、さらに、変調波信号源１より発生される変調波信号またはマルチキャリア信号源２より発生されるマルチキャリア信号を選択する入力信号切替部４を備えた。
よって、周波数特性を測定するためのテスト信号としてマルチキャリア信号を用いる。
したがって、帯域内および帯域外を含む所望の帯域の周波数特性を瞬時に精度良く測定し、これを補正することで、ＥＶＭおよび周波数歪みを精度良く改善することができる。
【００２４】
実施の形態２．
図３はこの発明の実施の形態２による周波数特性補正送信機の構成を示すブロック図である。
この実施の形態２は、マルチキャリア信号源２より発生されるマルチキャリア信号のピーク抑圧を行うピーク抑圧部３１を備えたものである。
【００２５】
実施の形態１で用いたマルチキャリア信号は、広帯域に渡って瞬時に精度良く周波数特性を測定できるという利点はある。しかしながら、マルチキャリア信号では個々の正弦波の信号成分がある時点において同位相で合成されると、その時点で出力が非常に大きくなり、ＰＡＰＲ（Ｐｅａｋ  ｔｏ  Ａｖｅｒａｇｅ  Ｐｏｗｅｒ  Ｒａｔｉｏ：ピーク電力対平均信号電力比）が大きくなる。
【００２６】
ＰＡＰＲが大きい場合、電力増幅器の飽和によって信号にクリッピングがかからないように平均電力を下げて周波数特性を測定せざるを得ない。このため、実際の電力増幅器の動作電力に近い電力において周波数特性を測定するためには、マルチキャリア信号のＰＡＰＲを下げることが必要となる。
【００２７】
すなわち、この実施の形態２の特徴とするところは、周波数特性を測定するためにピーク抑圧されたマルチキャリア信号を用いることで、帯域内および帯域外を含む所望の帯域の、高い出力電力に対応した周波数特性を瞬時に精度良く測定し、これを補正することで、ＥＶＭおよび周波数歪みを精度良く改善するものである。
【００２８】
次に動作について説明する。
図３において、マルチキャリア信号源２は、ピーク抑圧部３１によってＰＡＰＲが小さくなるように設定される。
【００２９】
図４はピーク抑圧部３１の動作を示すフローチャートである。
例えば、キャリア本数がＭ（但し、Ｍは任意の自然数）のマルチキャリア信号を送信する場合を説明する。
【００３０】
まず、キャリア本数Ｍのマルチキャリア信号を生成する（ＳＴ１）。このとき、キャリア番号Ｍ本目の正弦波の位相を０ｄｅｇとする（ＳＴ２）。生成した信号のＰＡＰＲを計算し（ＳＴ３）、位相情報とともにＰＡＰＲメモリに保存する（ＳＴ４）。
【００３１】
次に、正弦波の位相を０ｄｅｇ＜θ＜１８０ｄｅｇの範囲で変化させ（ＳＴ２）、その都度、位相情報とＰＡＰＲをメモリに保存する（ＳＴ３，ＳＴ４）。正弦波の位相変更回数が予め設定した回数Ｎ（但し、Ｎは任意の自然数）に達した場合、メモリの中から最もＰＡＰＲが小さい位相を選択し、キャリア番号Ｍ本目の正弦波の位相を決定する（ＳＴ５，ＳＴ６）。
【００３２】
図５（ａ）はピーク抑圧なしのマルチキャリア信号、図５（ｂ）はピーク抑圧ありのマルチキャリア信号の時間波形を示している。ピーク抑圧を施すことで、信号のピーク対平均比が小さくなる。
【００３３】
図３において、周波数特性測定モードの動作時には、ピーク抑圧部３１によってＰＡＰＲが低減されたマルチキャリア信号が送信される。なお、このときの動作については、実施の形態１で既に説明しているため省略する。
【００３４】
以上のように、この実施の形態２によれば、マルチキャリア信号源２から発生されるマルチキャリア信号のピーク抑圧処理を行うピーク抑圧部３１を備えた。
よって、周波数特性を測定するためのテスト信号としてピーク抑圧処理されたマルチキャリア信号を用いる。
したがって、帯域内および帯域外を含む所望の帯域の、高い出力電力に対応した周波数特性を瞬時に精度良く測定し、これを補正することで、ＥＶＭおよび周波数歪みを精度良く改善することができる。
【００３５】
実施の形態３．
図６はこの発明の実施の形態３による周波数特性補正送信機の構成を示すブロック図である。
この実施の形態３は、マルチキャリア信号源２の代わりに、奇数チャネルのマルチキャリア信号と、偶数チャネルのマルチキャリア信号とに分けて発生する奇数・偶数チャネル分割マルチキャリア信号源６１を備え、さらに、周波数特性保存部６２を備えたものである。
【００３６】
これにより、実施の形態１と比較して、周波数特性の測定に用いるマルチキャリア信号のキャリア本数が減るために、同位相で合成されるキャリア本数が減り、ＰＡＰＲを低減できる。
【００３７】
すなわち、この実施の形態３の特徴とするところは、周波数特性を測定するためにＰＡＰＲの小さな奇数・偶数キャリア分割マルチキャリア信号を用いることで、帯域内および帯域外を含む所望の帯域の、高い出力電力に対応した周波数特性を瞬時に精度良く測定し、これを補正することで、ＥＶＭおよび周波数歪みを精度良く改善するものである。
【００３８】
次に動作について説明する。
図７はこの発明の実施の形態３による周波数特性補正送信機の動作を示すフローチャートである。
この実施の形態３では、周波数特性測定モードが、奇数チャネルと、偶数チャネルとに分かれる。
【００３９】
まず、奇数チャネル（１，３，５・・・・Ｐ（Ｐは奇数））からなるマルチキャリア信号を送信し（ＳＴ１１）、奇数チャネルのマルチキャリア信号に対する周波数特性が測定される（ＳＴ１２）。図６における周波数特性保存部６２には、奇数チャネルのマルチキャリア信号の周波数特性が保存される。
【００４０】
次に、偶数チャネル（２，４，６・・・・Ｐ＋１（Ｐは奇数））からなるマルチキャリア信号を送信し（ＳＴ１３）、偶数チャネルのマルチキャリア信号に対する周波数特性が測定される（ＳＴ１４）。図６における周波数特性保存部６２には、奇数チャネルに加えて偶数チャネルのマルチキャリア信号の周波数特性が保存される。
【００４１】
周波数特性保存部６２において、保存された奇数チャネルと偶数チャネルの周波数特性から、全チャネルの周波数特性が計算される（ＳＴ１５）。
周波数特性補正部５において、全チャネルの周波数特性の逆特性が算出され、周波数特性が補正される（ＳＴ１６）。
【００４２】
以上のように、この実施の形態３によれば、奇数チャネルのマルチキャリア信号と、偶数チャネルのマルチキャリア信号とに分けて発生する奇数・偶数チャネル分割マルチキャリア信号源６１を備えた。
よって、周波数特性を測定するためのテスト信号として奇数・偶数チャネル分割マルチキャリア信号を用いる。
したがって、帯域内および帯域外を含む所望の帯域の、高い出力電力に対応した周波数特性を瞬時に精度良く測定し、これを補正することで、ＥＶＭおよび周波数歪みを精度良く改善することができる。
【００４３】
実施の形態４．
図８はこの発明の実施の形態４による周波数特性補正送信機の構成を示すブロック図である。
この実施の形態３は、マルチキャリア信号源２の代わりに、変調波信号の帯域内ではキャリア配置が密となり、変調波信号の帯域外ではキャリア配置が疎となるマルチキャリア信号を発生する不等間隔マルチキャリア信号源８１を備えたものである。
【００４４】
これにより、実施の形態１と比較して、周波数特性の測定に用いるマルチキャリア信号のキャリア本数が減るために、同位相で合成されるキャリア本数が減り、ＰＡＰＲを低減できる。
【００４５】
すなわち、この実施の形態４の特徴とするところは、周波数特性を測定するためにＰＡＰＲの小さな不等間隔マルチキャリア信号を用いることで、帯域内および帯域外を含む所望の帯域の、高い出力電力に対応した周波数特性を瞬時に精度良く測定し、これを補正することで、ＥＶＭおよび周波数歪みを精度良く改善するものである。
【００４６】
次に動作について説明する。
図９に不等間隔マルチキャリア信号の具体例を示している。
変調波信号の信号帯域内の周波数特性補正によるＥＶＭの改善効果を重視しており、帯域内のキャリア配置を密にし、帯域外のキャリア配置を疎にする。このように帯域内と帯域外でキャリア配置を不等間隔にすることで、キャリア本数を削減することができ、ＰＡＰＲを低減できる。
【００４７】
図８において、周波数特性測定モードの動作時には、ＰＡＰＲの小さな不等間隔マルチキャリア信号が送信される。なお、このときの動作については、実施の形態１で既に説明しているため省略する。
【００４８】
以上のように、この実施の形態４によれば、変調波信号の帯域内ではキャリア配置が密となり、変調波信号の帯域外ではキャリア配置が疎となるマルチキャリア信号を発生する不等間隔マルチキャリア信号源８１を備えた。
よって、周波数特性を測定するためのテスト信号として不等間隔マルチキャリア信号を用いる。
したがって、帯域内および帯域外を含む所望の帯域の、高い出力電力に対応した周波数特性を瞬時に精度良く測定し、これを補正することで、ＥＶＭおよび周波数歪みを精度良く改善することができる。
【００４９】
実施の形態５．
図１０はこの発明の実施の形態５による周波数特性補正送信機の構成を示すブロック図である。
この実施の形態５は、電力増幅器７の周囲温度を測定する温度モニタ１０１と、周波数特性補正部として、任意の温度毎に設けられた複数のディジタルフィルタ１０２とを備えたものである。
【００５０】
電力増幅器は、周波数特性に加えて温度依存性を有する。そのため、ある特定の温度において周波数特性を補正しても、周囲の温度が変化すると、周波数特性も変化して補正できない場合がある。
【００５１】
このため、ディジタルフィルタ１０２は、任意の温度（Ｔ＝Ｔ１℃，Ｔ＝Ｔ２℃，Ｔ＝Ｔ３℃，Ｔ＝Ｔ４℃，・・・，Ｔ＝ＴＬ℃（但し、Ｌは任意の自然数））に対応した複数のディジタルフィルタを予め用意し、温度モニタ１０１で観測した温度に応じて、最適なディジタルフィルタを選択する。
【００５２】
これにより、実施の形態１と比較して、温度変化に対応して周波数特性を補正することができる。
【００５３】
次に動作について説明する。
周波数特性測定モードを選択する。
異なる複数の温度において、周波数特性を測定し、温度情報と周波数特性の逆特性をディジタルフィルタ１０２に蓄積する。なお、周波数特性は、実施の形態１と同様の方法で測定することができる。
【００５４】
通常運用モード時には、温度モニタ１０１で観測した温度に応じて、最も温度が近いディジタルフィルタ１０２を選択する。なお、このとき予め用意した温度毎のディジタルフィルタ１０２の中から、最も温度が近い前後の周波数特性を抽出し、これらの周波数特性を基に、観測温度の周波数特性を推定しても良い。
【００５５】
以上のように、この実施の形態５によれば、電力増幅器７の周囲温度を測定する温度モニタ１０１と、任意の温度毎に設けられ、温度モニタ１０１により測定される電力増幅器７の周囲温度に応じて選択される複数のディジタルフィルタ１０２を備えた。
したがって、帯域内および帯域外を含む所望の帯域の、電力増幅器７の周囲温度に対応した周波数特性を瞬時に精度良く測定し、これを補正することで、ＥＶＭおよび周波数歪みを精度良く改善することができる。
【００５６】
実施の形態６．
図１１はこの発明の実施の形態６による周波数特性補正送信機の構成を示すブロック図である。
この実施の形態６は、電力増幅器７の出力電力を測定する出力モニタ１１１と、周波数特性補正部として、任意の出力電力毎に設けられた複数のディジタルフィルタ１１２とを備えたものである。
【００５７】
電力増幅器の周波数特性は、動作電力によって変化する。そのため、ある特定の出力電力において周波数特性を補正しても、動作電力が変化すると周波数特性も変化して補正できない場合がある。
【００５８】
このため、ディジタルフィルタ１１２は、任意の出力電力（Ｐｏｕｔ＝Ｐ１ｄｂｍ，Ｐｏｕｔ＝Ｐ２ｄｂｍ，Ｐｏｕｔ＝Ｐ３ｄｂｍ，Ｐｏｕｔ＝Ｐ４ｄｂｍ，・・・，Ｐｏｕｔ＝ＰＫｄｂｍ（但し、Ｋは任意の自然数））に対応した複数のディジタルフィルタを予め用意し、出力モニタ１１１で観測した出力電力に応じて、最適なディジタルフィルタを選択する。
【００５９】
これにより、実施の形態１と比較して、出力電力に対応して周波数特性を補正することができる。
【００６０】
次に動作について説明する。
周波数特性測定モードを選択する。
異なる複数の出力電力において、周波数特性を測定し、出力電力情報と周波数特性の逆特性をディジタルフィルタ１１２に蓄積する。なお、周波数特性は、実施の形態１と同様の方法で測定することができる。
【００６１】
通常運用モード時には、出力モニタ１１１で観測した出力電力に応じて、最も出力電力が近いディジタルフィルタ１１２を選択する。なお、このとき予め用意した出力電力毎のディジタルフィルタ１１２の中から、最も出力電力が近い前後の周波数特性を抽出し、これらの周波数特性を基に、観測電力の周波数特性を推定しても良い。
【００６２】
以上のように、この実施の形態６によれば、電力増幅器７の出力電力を測定する出力モニタ１１１と、任意の出力電力毎に設けられ、出力モニタ１１１により測定される電力増幅器７の出力電力に応じて選択される複数のディジタルフィルタ１１２を備えた。
したがって、帯域内および帯域外を含む所望の帯域の、電力増幅器７の出力電力に対応した周波数特性を瞬時に精度良く測定し、これを補正することで、ＥＶＭおよび周波数歪みを精度良く改善することができる。
【００６３】
なお、ディジタルプレディストーション歪み補正機能を備えた送信機に、上記実施の形態における周波数特性補正送信機を適用しても良い。
この場合、電力増幅器７の非線形歪みを相殺するために、変調波信号に対して予め電力増幅器７の逆歪みを与えるディジタルプレディストーション歪み補正機能を備えた送信機であっても、周波数歪みを精度良く改善することができることから、電力増幅器７の非線形歪みが周波数歪みによって変化することがなく、電力増幅器７の非線形歪みを精度良く改善することができる。
【００６４】
また、前記各実施の形態における各構成要素は、例えば、マイコン等を実装している半導体回路基板等のハードウエアで機能を実現したり、処理内容が記述されているプログラムをコンピュータのメモリに格納し、当該コンピュータのＣＰＵがメモリに格納されているプログラムを実行することにより、機能を実現するようにしても良い。
【００６５】
さらに、本願発明はその発明の範囲内において、各実施の形態の自由な組み合わせ、あるいは各実施の形態の任意な構成要素の変形、もしくは各実施の形態において任意な構成要素の省略が可能である。
【符号の説明】
【００６６】
１  変調波信号源、２  マルチキャリア信号源、３，８  信号分岐部、４  入力信号切替部、５  周波数特性補正部、６  ディジタル／アナログ変換器、７  電力増幅器、９  出力端子、１０  アナログ／ディジタル変換器、１１，１２  周波数軸変換部、１３  周波数特性比較部、３１  ピーク抑圧部、６１  奇数・偶数チャネル分割マルチキャリア信号源、６２  周波数特性保存部、８１  不等間隔マルチキャリア信号源、１０１  温度モニタ、１０２，１１２  ディジタルフィルタ、１１１  出力モニタ。
【図１】
2012244294.tif 000003
【図２】
2012244294.tif 000004
【図３】
2012244294.tif 000005
【図４】
2012244294.tif 000006
【図５】
2012244294.tif 000007
【図６】
2012244294.tif 000008
【図７】
2012244294.tif 000009
【図８】
2012244294.tif 000010
【図９】
2012244294.tif 000011
【図１０】
2012244294.tif 000012
【図１１】
2012244294.tif 000013